(57)【特許請求の範囲】
【請求項１】
ワイヤレス通信のための方法であって、
ユーザ機器(UE)によって、接続パラメータを含む、1つまたは複数のサービスデバイスに関連するサービスメタデータを、接続エンティティから検索するステップと、
前記サービスメタデータに基づいて前記1つまたは複数のサービスデバイスのうちの少なくとも1つとの1つまたは複数のリンクを構成するステップと、
前記1つまたは複数のリンクを介して利用可能なサービスを使用するステップと
を含み、
前記接続パラメータは、前記1つまたは複数のサービスデバイスのロケーションを含み、
前記1つまたは複数のリンクを介して前記利用可能なサービスを使用するステップは、前記UEの決定されたロケーションと前記1つまたは複数のサービスデバイスの前記ロケーションとを比較することに基づいて、前記1つまたは複数のサービスデバイスのうちの少なくとも1つを選択するステップを含む、方法。
【請求項２】
前記1つまたは複数のサービスデバイスのうちの少なくとも1つによるサービス告知に基づいて前記1つまたは複数のサービスデバイスの利用可能性を検出するステップをさらに含む、請求項1に記載の方法。
【請求項３】
前記サービス告知が、
前記1つまたは複数のサービスデバイスに対する前記接続パラメータ、または
前記1つまたは複数のサービスデバイスに対する前記接続パラメータおよび関連するサービスメタデータを記憶する前記接続エンティティへのポインタの少なくとも一方を含む、請求項2に記載の方法。
【請求項４】
前記接続パラメータが、前記1つまたは複数のサービスデバイスへのアクセスを要求するために、ロケーションコンポーネント、時変パラメータ、ワイヤレスローカルエリアネットワークWLANサービスセット識別子SSID、認証情報、ブルートゥースペアリング情報、またはサービス管理エンティティへのポインタのうちの少なくとも1つを含む、請求項3に記載の方法。
【請求項５】
前記1つまたは複数のリンクのそれぞれに関連する前記接続パラメータに基づいて前記1つまたは複数のリンクをランク付けするステップをさらに含む、請求項1に記載の方法。
【請求項６】
前記検索するステップが、
前記接続エンティティに接続パラメータ要求を送信するステップと、
前記接続パラメータ要求に応答して、前記サービスメタデータを受信するステップとを含む、請求項1に記載の方法。
【請求項７】
前記サービスメタデータが、クラウドエンティティ内に記憶される、請求項1に記載の方法。
【請求項８】
ネットワークインターフェースなしに利用可能にされるサービス告知に基づいて前記1つまたは複数のサービスデバイスの利用可能性を検出するステップをさらに含む、請求項1に記載の方法。
【請求項９】
前記接続パラメータがセキュリティ保護される、請求項1に記載の方法。
【請求項１０】
前記サービスメタデータを検索するために支払いクエリを受信するステップをさらに含む、請求項1に記載の方法。
【請求項１１】
請求項1乃至10の何れか1項の諸ステップを実行するためのコードセットを含む、コンピュータプログラム。
【請求項１２】
装置であって、
接続パラメータを含む、1つまたは複数のサービスデバイスに関連するサービスメタデータを、接続エンティティから検索するための手段と、
前記サービスメタデータに基づいて前記1つまたは複数のサービスデバイスのうちの少なくとも1つとの1つまたは複数のリンクを構成するための手段と、
前記1つまたは複数のリンクを介して利用可能なサービスを使用するための手段と
を含み、
前記接続パラメータは、前記1つまたは複数のサービスデバイスのロケーションを含み、
前記1つまたは複数のリンクを介して利用可能なサービスを使用するための手段は、前記装置の決定されたロケーションと前記1つまたは複数のサービスデバイスの前記ロケーションとを比較することに基づいて、前記1つまたは複数のサービスデバイスのうちの少なくとも1つを選択する手段を含む、装置。
【請求項１３】
前記1つまたは複数のサービスデバイスのうちの少なくとも1つによるサービス告知に基づいて前記1つまたは複数のサービスデバイスの利用可能性を検出するための手段をさらに含む、請求項12に記載の装置。
【請求項１４】
前記接続エンティティに接続パラメータ要求を送信するための手段と、
前記接続パラメータ要求に応答して前記サービスメタデータを受信するための手段とをさらに含む、請求項12に記載の装置。
【請求項１５】
前記接続パラメータが、前記1つまたは複数のサービスデバイスへのアクセスを要求するために、ロケーションコンポーネント、時変パラメータ、ワイヤレスローカルエリアネットワークWLANサービスセット識別子SSID、認証情報、ブルートゥースペアリング情報、またはサービス管理エンティティへのポインタのうちの少なくとも1つを含む、請求項12に記載の装置。
【請求項１６】
前記1つまたは複数のリンクのそれぞれに関連する前記接続パラメータに基づいて前記1つまたは複数のリンクをランク付けするための手段をさらに含む、請求項12に記載の装置。
【発明の詳細な説明】
【技術分野】
【０００１】
本開示は、一般に、通信システムに関し、より詳細には、サービス情報および接続情報を自動的に発見するための装置および方法に関する。
【背景技術】
【０００２】
モバイルデバイスの有用性が継続的に増大するにつれて、ユーザは、ユーザのモバイルデバイスに関連するサービスをユーザに提供するために存在するサービスデバイスを利用することをますます望んでいる。たとえば、ユーザは、彼または彼女のモバイルデバイスから写真を表示するために、ユーザの居間で電子ピクチャフレームと通信することを望むことがある。代替として、ユーザは、ユーザのモバイルデバイスに記憶されているプレゼンテーションを表示するために、教室または会議場内で近くのプロジェクタと通信することを望むことがある。または、ユーザは、文書のハードコピーを印刷するために、モバイルデバイスに記憶されている文書を近くのプリンタに送信することを望むことがある。これらの例は、もちろん、多くの可能性のある例のうちのほんの一部にすぎない。
【０００３】
しかしながら、最近、そのようなモバイルサービスが実現され得るより前に、モバイルデバイスは、モバイルサービスが発見されることを可能にするために、ネットワークを介してサービスデバイスに接続されなければならない。たとえば、Bonjourおよびユニバーサルプラグアンドプレイ(UPnP)は、モバイルデバイスが、外部デバイスおよびそれのサービスを発見し得るより前に、ネットワーク接続を必要とする。
【０００４】
しかしながら、この種のネットワーク接続確立は、モバイルデバイスが、外部デバイスに関連する接続パラメータの知識を、発見の前にあらかじめ有することが必要である。さらに、ワイヤレスネットワークに対して、これはまた、デバイスが、発見の前に、ネットワークへの通信リンクの範囲内にあることが必要である。さらに厄介な問題は、ブルートゥース（登録商標）、Peanut、WiFiなど、多数のリンクプロトコルが存在することであり、これらはすべて、接続のために一意のプロトコルパラメータデータを必要とする。
【０００５】
したがって、サービスデバイスの利用可能性およびオプションの量および複雑さが増大している環境におけるサービスの使用を可能にするために、改善が望まれている。
【発明の概要】
【課題を解決するための手段】
【０００６】
以下で、1つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、1つまたは複数の態様のいくつかの概念を簡略化された形で提示することである。
【０００７】
接続パラメータを含む、1つまたは複数のサービスデバイスに関連するサービスメタデータを、接続エンティティから検索するステップと、検索されたサービスメタデータに基づいて、1つまたは複数のサービスデバイスのうちの少なくとも1つとの1つまたは複数のリンクを構成するステップとを含むワイヤレス通信のための方法が、以下の開示において提示される。
【０００８】
コンピュータに、接続エンティティから1つまたは複数のサービスデバイスに関連するサービスメタデータを検索させるための第1のコードセットを含むコンピュータ可読媒体を含むコンピュータプログラム製品が、本開示においてさらに提示され、サービスメタデータは、接続パラメータと、コンピュータに、検索されたサービスメタデータに基づいて1つまたは複数のサービスデバイスのうちの少なくとも1つとの1つまたは複数のリンクを構成させるための第2のコードセットとを含む。
【０００９】
本開示は、接続エンティティから1つまたは複数のサービスデバイスに関連するサービスメタデータを検索するための手段を含む装置をさらに提示し、サービスメタデータは、接続パラメータと、検索されたサービスメタデータに基づいて1つまたは複数のサービスデバイスのうちの少なくとも1つとの1つまたは複数のリンクを構成するための手段とを含む。
【００１０】
追加の態様では、本開示は、接続パラメータを含む、接続エンティティから1つまたは複数のサービスデバイスに関連するサービスメタデータを検索するための検索コンポーネントと、検索されたサービスメタデータに基づいて1つまたは複数のサービスデバイスのうちの少なくとも1つとの1つまたは複数のリンクを構成するための構成コンポーネントとを含む装置を企図する。
【００１１】
さらに、本開示は、接続パラメータを含む、接続エンティティから1つまたは複数のサービスデバイスに関連するサービスメタデータを検索するための第1のモジュールと、検索されたサービスメタデータに基づいて1つまたは複数のサービスデバイスのうちの少なくとも1つとの1つまたは複数のリンクを構成するための第2のモジュールとを含む、サービスを利用するように構成された少なくとも1つのプロセッサを説明する。
【００１２】
追加の態様では、本開示は、サービス告知をブロードキャストするステップと、サービスに関連するサービスメタデータに対する要求をクライアントデバイスから受信するステップと、クライアントデバイスにサービスメタデータを与えるステップと、与えられたサービスメタデータに基づいてクライアントデバイスとのリンクを構成するステップとを含む、サービスデバイスからサービスを提供するための方法を提示する。
【００１３】
加えて、サービス告知をブロードキャストする第1のモジュールと、サービスに関連するサービスメタデータに対する要求をクライアントデバイスから受信するための第2のモジュールと、クライアントデバイスにサービスメタデータを与えるための第3のモジュールと、与えられたサービスメタデータに基づいてクライアントデバイスとのリンクを構成するための第4のモジュールとを含む、クライアントデバイスにサービスを提供するように構成された少なくとも1つのプロセッサを、本明細書で提示する。
【００１４】
追加の態様では、本開示は、コンピュータにサービス告知をブロードキャストさせるための第1のコードセットと、コンピュータに、サービスに関連するサービスメタデータに対する要求をクライアントデバイスから受信させるための第2のコードセットと、コンピュータに、クライアントデバイスにサービスメタデータを与えさせるための第3のコードセットと、コンピュータに、与えられたサービスメタデータに基づいてクライアントデバイスとのリンクを構成させるための第4のコードセットとを含むコンピュータ可読媒体を含む、コンピュータプログラム製品を提供する。
【００１５】
さらに、サービス告知をブロードキャストするための手段と、サービスに関連するサービスメタデータに対する要求をクライアントデバイスから受信するための手段と、クライアントデバイスにサービスメタデータを与えるための手段と、与えられたサービスメタデータに基づいてクライアントデバイスとのリンクを構成するための手段とを含み得る装置を、本明細書で提示する。
【００１６】
さらなる態様では、本開示は、サービス告知をブロードキャストするためのブロードキャストコンポーネントと、サービスに関連するサービスメタデータに対する要求をクライアントデバイスから受信するための受信コンポーネントと、クライアントデバイスにサービスメタデータを与えるためのメタデータ提供コンポーネントと、与えられたサービスメタデータに基づいてクライアントデバイスとのリンクを構成するためのリンク構成コンポーネントとを含む装置を説明する。
【００１７】
上記のおよび関連の目的の達成のために、1つまたは複数の態様は、以下で十分に説明し、特許請求の範囲で具体的に指摘する特徴を含む。以下の説明および添付の図面は、1つまたは複数の態様のいくつかの例示的な特徴を詳細に記載する。しかしながら、これらの特徴は、様々な態様の原理が採用され得る様々な方法のうちのいくつかを示すものにすぎず、この説明は、そのようなすべての態様およびそれらの等価物を含むものとする。
【００１８】
開示される態様を限定するためではなく例示するために与えられる添付の図面とともに、開示される態様が以下で説明され、同様の記号表示は同様の要素を示している。
【図面の簡単な説明】
【００１９】
【図１】サービス発見および接続を容易にする例示的なシステムのブロック図である。
【図２】サービスメタデータを検索し、メタデータに基づいてローカルリンクを構成するための例示的な方法の一態様のフローチャートである。
【図３】受信されたメタデータに基づき、ローカルリンクを介するサービスを使用してローカルリンクを構成するための例示的な方法の一態様のフローチャートである。
【図４】サービス発見および接続のための例示的なクライアントデバイスのブロック図である。
【図５】クライアントデバイスに1つまたは複数のサービスを提供するための例示的なサービスデバイスのブロック図である。
【図６】1つまたは複数のクライアントデバイスにサービスメタデータを与えるための例示的な方法の一態様のフローチャートである。
【図７】サービスメタデータを検索し、メタデータに基づいてリンクを構成するための例示的な装置の電気的コンポーネント図である。
【図８】1つまたは複数のクライアントデバイスにサービスメタデータを与えるための例示的な装置の電気的コンポーネント図である。
【発明を実施するための形態】
【００２０】
次に、図面を参照しながら様々な態様について説明する。以下の記述では、説明の目的で、1つまたは複数の態様の完全な理解を与えるために、多数の具体的な詳細が記載される。しかしながら、そのような態様をこれらの具体的な詳細なしに実践できることは明白であり得る。
【００２１】
本出願で使用される場合、「コンポーネント」、「モジュール」、「システム」などの用語は、限定はしないが、ハードウェア、ファームウェア、ハードウェアとソフトウェアの組合せ、ソフトウェア、または実行中のソフトウェアなど、コンピュータ関連のエンティティを含むものとする。たとえば、コンポーネントは、プロセッサ上で実行されるプロセス、プロセッサ、オブジェクト、実行ファイル、実行スレッド、プログラム、および/またはコンピュータであり得るが、これらに限定されない。例として、コンピューティングデバイス上で実行されるアプリケーションと、そのコンピューティングデバイスの両方が、コンポーネントであり得る。1つまたは複数のコンポーネントが、プロセスおよび/または実行スレッド内に常駐することができ、1つのコンポーネントが、1つのコンピュータ上に配置されてよく、かつ/または2つ以上のコンピュータ間に分散されてよい。さらに、これらのコンポーネントは、様々なデータ構造を記憶している様々なコンピュータ可読媒体から実行することができる。これらのコンポーネントは、信号によって、ローカルシステム、分散システム内の別のコンポーネントと対話し、かつ/またはインターネットなどのネットワークを介して他のシステムと対話する1つのコンポーネントからのデータのような1つまたは複数のデータパケットを有する信号に従うことなどによって、ローカルプロセスおよび/またはリモートプロセスによって通信し得る。
【００２２】
さらに、ワイヤード端末またはワイヤレス端末であり得る端末に関して、様々な態様について本明細書で説明する。端末は、システム、デバイス、クライアントデバイス、加入者ユニット、加入者局、移動局、モバイル、モバイルデバイス、リモート局、リモート端末、アクセス端末、ユーザ端末、端末、通信デバイス、ユーザエージェント、ユーザデバイス、またはユーザ機器(UE)と呼ばれることもある。ワイヤレス端末は、セルラー電話、衛星電話、コードレス電話、セッション開始プロトコル(SIP)電話、ワイヤレスローカルループ(WLL)局、携帯情報端末(PDA)、ワイヤレス接続機能を有するハンドヘルドデバイス、コンピューティングデバイス、またはワイヤレスモデムに接続された他の処理デバイスであり得る。さらに、基地局に関して、様々な態様について本明細書で説明する。基地局は、ワイヤレス端末と通信するために利用されてもよく、アクセスポイント、ノードB、または何らかの他の技術用語で呼ばれることもあり得る。
【００２３】
その上、「または」という用語は、排他的な「または」ではなく、包括的な「または」を意味するものとする。すなわち、別段の規定がない限り、または文脈から明白でない限り、「XはAまたはBを採用する」という語句は、自然な包括的置換のいずれかを意味するものとする。すなわち、「XはAまたはBを採用する」という語句は、以下の例のいずれかによって満足される。XはAを採用する。XはBを採用する。XはAとBの両方を採用する。加えて、本出願および添付の特許請求の範囲で使用する冠詞「a」および「an」は、別段の規定がない限り、または単数形を示すことが文脈から明白でない限り、概して「1つまたは複数」を意味するものと解釈すべきである。
【００２４】
本明細書に記載された技法は、CDMA、TDMA、FDMA、OFDMA、SC-FDMAおよび他のシステムなどの様々なワイヤレス通信システムに使用することができる。「システム」および「ネットワーク」という用語は、しばしば互換的に使用される。CDMAシステムは、Universal Terrestrial Radio Access(UTRA)、cdma2000などの無線技術を実装し得る。UTRAは、Wideband-CDMA(W-CDMA)およびCDMAの他の変形形態を含む。さらに、cdma2000は、IS-2000、IS-95およびIS-856の規格をカバーする。TDMAシステムは、Global System for Mobile Communications(GSM（登録商標）)などの無線技術を実装することができる。OFDMAシステムは、Evolved UTRA(E-UTRA)、Ultra Mobile Broadband(UMB)、IEEE802.11(Wi-Fi)、IEEE802.16(WiMAX)、IEEE802.20、Flash-OFDMAなどの無線技術を実装することができる。UTRAおよびE-UTRAは、Universal Mobile Telecommunication System(UMTS)の一部である。3GPP Long Term Evolution(LTE)は、ダウンリンク上ではOFDMAを利用し、アップリンク上ではSC-FDMAを採用する、E-UTRAを使用するUMTSのリリースである。UTRA、E-UTRA、UMTS、LTEおよびGSM（登録商標）は、「3rd Generation Partnership Project」(3GPP)と称する組織からの文書に記載されている。加えて、cdma2000およびUMBは、「3rd Generation Partnership Project 2」(3GPP2)と称する組織からの文書に記載されている。さらに、そのようなワイヤレス通信システムは、不対無認可スペクトル、802.xxワイヤレスLAN、BLUETOOTH（登録商標）および任意の他の短距離または長距離ワイヤレス通信技法をしばしば使用するピアツーピア(たとえば、モバイルツーモバイル)アドホックネットワークシステムをさらに含み得る。
【００２５】
いくつかのデバイス、コンポーネント、モジュールなどを含み得るシステムに関して、様々な態様または特徴が提示される。様々なシステムが、追加のデバイス、コンポーネント、モジュールなどを含んでもよく、かつ/または各図に関連して論じられるデバイス、コンポーネント、モジュールなどのすべてを含むとは限らないことを、理解および諒解されたい。これらの手法の組合せも使用され得る。
【００２６】
図1を参照すると、自動的サービス発見および接続のための例示的なシステム100が示されている。システム100は、たとえば、コンピュータまたは携帯電話またはユーザ機器(UE)、ワイヤレスネットワーク104、およびサービスデバイス106など、クライアントデバイス102を含み得る。所与の時間に、クライアントデバイス102は、サービスデバイス106など、1つまたは複数のサービスデバイスの通信範囲内にあり得る。サービスデバイス106は、限定はしないが、印刷、マルチメディア表示、データ記憶、または外部デバイスによって実行可能な任意の他のサービスなどのサービスを含む多様なサービスを、クライアントデバイス102に与える能力を有し得る。
【００２７】
クライアントデバイス102のユーザは、所与の時間またはロケーションにおいてこれらのサービスのうちのいずれかを利用したいと望むことがあるので、システム100は、インターフェース技術にかかわらず、サービスデバイス106およびそれの対応するサービスの検出、接続、および利用を可能にする。したがって、システム100は、サービス発見が、接続を事前に有するという制限を超越することを可能にする。さらに、システム100は、クライアントデバイス102が、ネットワークインターフェース、技術、規格、または構成にとらわれずに、実質的に普遍的に展開されているサービスを使用することを可能にする。
【００２８】
一態様では、クライアントデバイス102は、少なくともサービスデバイス106によって与えられる1つまたは複数のサービスの利用可能性を検出し得る。たとえば、サービスデバイス106は、ワイヤレスネットワーク104から通信108においてクライアントデバイス102にサービス情報を告知し得、通信108は、サービス告知とともに接続パラメータを含み得る。告知される接続パラメータを使用して、クライアントデバイス102は、サービスデバイス106と通信接続を形成し、通信110を介してサービスデバイス106に関連するサービスを利用することができる。一態様では、接続パラメータは、クライアントデバイス102が、クライアントデバイスとサービスデバイスの両方における多様なインターフェースにかかわらず、サービスデバイス106に関連するサービスを使用することを可能にする。通信108および通信110は、異なる経路またはリンクであるように示されているが、両通信は、同じまたは類似の経路またはリンクに沿って、たとえば、ワイヤレスネットワーク104を介して発生してよく、あるいは両通信は、異なる経路またはリンクに沿って発生してもよいことに留意されたい。
【００２９】
一態様では、接続パラメータは、クライアントデバイス102が、クライアントデバイスとサービスデバイスの両方における多様なインターフェースにかかわらず、1つまたは複数のサービスを利用することを可能にする。一態様では、接続パラメータは、限定はしないが、ワイヤレスローカルエリアネットワーク(WLAN)またはサービスデバイスへのアクセスを要求するためのサービス管理エンティティへのポインタに対するサービスセット識別子などのサービスセット識別子/ベースサービスセット識別子(SSID/BSSID)、認証要件または認証情報、支払い、加入および/または契約の情報などの信用証明、ブルートゥース（登録商標）ペアリング情報などのWiFi/ブルートゥース（登録商標）などのワイヤレス技術、ネットワークアドレストランスレータ(NAT)に対するセッショントラバーサルユーティリティーズ/リレーNATを使用するトラバーサル(STUN/TURN)のNATトラバーサルに対するサーバ情報、統一資源識別子(URI)、ロケーションなどを含み得る。別の態様では、接続パラメータは、セキュリティ保護され得、暗号化され得、またはパスワード保護され得る。
【００３０】
図2を参照すると、検索し、UEなどのクライアントデバイスと接続エンティティとの間でローカルリンクを構成するための例示的なフローチャートが示されている。この検索および構成を通して、クライアントデバイスは、1つまたは複数の外部サービスデバイスと通信し、1つまたは複数の外部サービスデバイスによって提供されるサービスを利用することができる。ブロック202で、クライアントデバイスは、接続エンティティからメタデータを検索し得る。一態様では、接続エンティティは、限定はしないが、クラウドエンティティ、オーバーレイネットワーク、ネットワークインターフェース、QRコード（登録商標）、サービスデバイス106などを含み得る。次に、ブロック204で、ローカルリンクが、接続エンティティから受信されたメタデータに基づいて構成され得る。
【００３１】
図3を参照すると、接続エンティティから接続パラメータを検索し、受信されたサービスメタデータに基づいてローカルリンクを構成し、構成されたリンクを介して利用可能なサービスを使用するための方法300の一態様が示されている。ブロック302で、任意選択による一態様では、クライアントデバイスは、1つまたは複数のサービスデバイスを介して提供される1つまたは複数のサービスの利用可能性を検出し得る。検出プロセスの一例では、サービスデバイスは、サービス情報を告知することができる。いくつかの実施形態では、サービスデバイスは、限定はしないが、印刷サービス、表示サービス、データ記憶サービスなど、サービスデバイスが提供し得るサービスのタイプを告知することができる。
【００３２】
加えて、サービスデバイスは、サービス告知とともに接続パラメータを含み得る。接続パラメータは、クライアントデバイス、サービスデバイス、および/または外部ネットワークが通信し得る、利用可能な数々の技術および/またはインターフェースにかかわらずに、1つのサービスをクライアントデバイスが使用することを可能にする。一態様では、接続パラメータは、限定はしないが、サービスセット識別子/ベースサービスセット識別子(SSID/BSSID)、認証要件、支払い、加入および/または契約の情報などの信用証明、WiFi/ブルートゥース（登録商標）などのワイヤレス技術、ネットワークアドレストランスレータ(NAT)に対するセッショントラバーサルユーティリティーズ/リレーNATを使用するトラバーサル(STUN/TURN)のNATトラバーサルに対するサーバ情報、統一資源識別子(URI)、ロケーションなどを含み得る。別の態様では、接続パラメータは、セキュリティ保護され得、暗号化され得、またはパスワード保護などを行われ得る。
【００３３】
一態様では、サービス告知は、サービスが利用され得るロケーションなど、時変パラメータを含むことによって、ローカルにスコーピングされ得る(scope)。別の態様では、サービスデバイスは、インターネットエンティティおよび/またはオーバーレイネットワークへのポインタを告知し得、同様に、1つまたは複数のサービスデバイスについてのサービス情報および/または接続パラメータを記憶する接続エンティティとしても働き得る。その後、クライアントデバイスは、利用可能なインターフェースを使用して特定のサービスについての情報を検索し、その特定のサービスに対応する接続パラメータを取得し得る。
【００３４】
代替として、ブロック304で、クライアントデバイスは、接続エンティティに接続パラメータ要求を送信し得る。クライアントデバイスは、クライアントデバイスに対するサービス(たとえば、印刷、情報表示など)を提供し得る外部サービスデバイスとの通信接続を確立するために、接続パラメータまたはメタデータを要求し得る。一態様では、接続パラメータ要求はまた、限定はしないが、クライアントデバイスロケーション情報、1つまたは複数のサービスカテゴリ要求(非限定的な例として、最寄りのプリンタまたは最寄りのディスプレイに対する要求など)、1つまたは複数の検索語、クライアントデバイス認証情報などを含み得る、クライアントデバイス情報を含み得る。
【００３５】
いくつかの態様では、クライアントデバイスがサービス情報を要求し得る接続エンティティは、クライアントデバイスから、テザリングされた(tether)電気信号またはワイヤレス信号を送受信し得る電気デバイスであってよい。これらの接続エンティティは、限定はしないが、クラウドエンティティ(たとえば、サーバなど)、基地局、基地局コントローラ、ルータ、ネットワーク上に設置されたメモリまたは記憶デバイス、あるいはサービスデバイス自体を含み得る。代わりに、接続エンティティは、クイックレファレンス(QR)コードまたは他のデバイス読取り可能な静的告知など、静的なネットワークインターフェースまたはポインタであってよい。追加の態様では、クライアントデバイスは、支払いクエリを受信し得、それによって、クライアントは、サービスメタデータを検索することに対する支払いを提示し得る。
【００３６】
ブロック306で、クライアントデバイスは、接続エンティティからサービス情報またはメタデータを受信し得る。一態様では、受信されたサービスメタデータは、限定はしないがロケーションなど、要求された接続パラメータに基づいて調整され得る。例として、UEは、全地球測位システム(GPS)などの測位システムを使用して所与の時間にUEのロケーションに対応するロケーションパラメータを生成し得る。要求された1つまたは複数のサービスデバイスに対応するロケーション情報と1つまたは複数のサービスデバイスから受信されたロケーション情報とを比較することによって、UEは、その生成されたロケーションパラメータと受信されたサービスデバイスロケーションとを比較して、サービス使用を調整または最適化することができる。
【００３７】
一態様では、接続パラメータがクラウドエンティティに記憶され、それらの存在が告知を介してグローバルに告知される。一態様では、告知は、接続パラメータを含み得る。追加または代替として、接続パラメータは、ネットワークインターフェース、またはクライアントデバイスへのローカルサービス告知を作成可能な他のデバイスによって、ローカルにブロードキャストされ得る。
【００３８】
別の例では、ローカル告知は、QRコード（登録商標）、バーコード、または統一商品コード(UPC)などを利用することによって、ネットワークインターフェースなしに達成され得る。例として、サービス提供会社は、限定はしないが、プリンタ、ディスプレイ、コンピュータ、メモリ、またはプロジェクタなどのサービスデバイスの表面上に、あるいはサービスデバイスにかなり接近したエリア内に、QRコード（登録商標）を貼付することができる。QRコード（登録商標）は、QRコード（登録商標）が貼付されるかまたはQRコード（登録商標）がかなり接近して存在する特定のサービスデバイスに対応する、ロケーション、サービス情報、接続パラメータ、および/またはメタデータなどのコード化情報を含み得る。代替として、QRコード（登録商標）は、要求された接続情報またはメタデータをクライアントデバイスが受信し得るクラウドデバイス、オーバーレイネットワーク、またはサーバなど、外部デバイス上に記憶されたコード化情報へのポインタを利用し得る。
【００３９】
ブロック308で、クライアントデバイスは、検索されたメタデータまたは接続パラメータを使用して、1つまたは複数のサービスデバイスとの接続を確立し、および/またはローカルリンクを構成することができる。いくつかの例では、2つ以上のリンクが、所与の時間に2つ以上のサービスデバイスに対して確立され得、個別のリンクは、接続パラメータまたは特性を変えることによって特徴づけられる。ブロック310で、クライアントデバイスは、接続パラメータまたは特性に基づいて、リンクを任意選択によりランク付けすることができる。たとえば、クライアントデバイスは、サービスデバイスとのローカル接続を、WiFi接続より高くランク付けすることができる。たとえば、クライアントデバイスは、クライアントデバイスと複数の印刷デバイス-印刷デバイス1、印刷デバイス2および印刷デバイス3との間にいくつかのリンクを確立していることがある。クライアントデバイスと印刷デバイス1との間の接続はWiFi接続であってよく、印刷デバイス2との接続はローカル接続であってよく、印刷デバイス3との接続は、同様にWiFi接続であってよい。その結果、クライアントデバイスは、印刷デバイス2との接続を、印刷デバイス1および3との個別の接続より高くランク付けすることができる。したがって、クライアントデバイスは、印刷デバイス1および/または3のサービスを利用する前に、印刷デバイス2によって提供されるサービスを利用することができる。
【００４０】
通信接続がローカルリンクを介して確立され、および/または接続がランク付けされると、クライアントデバイスは、ブロック312で、構成された1つまたは複数のリンクを介して利用可能なサービスを任意選択により使用し得る。たとえば、クライアントデバイス上に記憶されたデータ(たとえば、PDF、ワードプロセッサファイル、スライドショーファイル、マルチメディアファイルなど)が、限定はしないが、プリンタ、デバイス、またはデータ記憶デバイスなどのサービスデバイスに、確率されたリンクを介して送信され得る。サービスデバイスで受信されると、サービスデバイスは、たとえば、送信されたデータを利用してデータファイルを印刷、表示、または記憶することによって、サービスを提供し得る。
【００４１】
図4を参照すると、クライアントデバイス102は、本明細書で説明する機能を遂行するための1つまたは複数のコンポーネントを含む。一態様では、クライアントデバイス102は、本明細書で説明するコンポーネントおよび機能のうちの1つまたは複数に関連付けられる処理機能を実行するためのプロセッサ402を含む。プロセッサ402は、単一の組もしくは複数の組のプロセッサまたはマルチコアプロセッサを含み得る。その上、プロセッサ402は、統合処理システムおよび/または分散処理システムとして実装することができる。
【００４２】
プロセッサ402は、限定はしないが、図3に示す態様を含む本発明の態様を実装し得るコンポーネントまたはモジュールを含み得る。たとえば、これらのコンポーネントまたはモジュールは、サービスデータを要求することおよび接続エンティティからサービスデータを受信することを含み得る、1つまたは複数のサービスデバイスに対応するサービスデータを検索し得る。加えて、これらのコンポーネントまたはモジュールは、1つまたは複数のサービスデバイスとの1つまたは複数のリンクを構成し、1つまたは複数のリンクの1つまたは複数の特性に基づいてこれらの確立されたリンクをランク付けすることができる。さらに、コンポーネントまたはモジュールは、1つまたは複数のサービスデバイスからのサービス告知に基づいて、1つまたは複数のサービスデバイスの利用可能性を検出し得る。加えて、コンポーネントまたはモジュールは、クライアントデバイスがサービスデバイスに関連するサービスを使用することを可能にするように構成され得る。
【００４３】
クライアントデバイス102は、本明細書で使用されるデータ、および/またはプロセッサ402によって実行されているアプリケーションのローカルバージョンを記憶するなどのためのメモリ404をさらに含む。メモリ404は、ランダムアクセスメモリ(RAM)、読取り専用メモリ(ROM)、テープ、磁気ディスク、光ディスク、揮発性メモリ、不揮発性メモリ、およびそれらの任意の組合せなど、コンピュータが使用できる任意のタイプのメモリを含むことができる。
【００４４】
さらに、クライアントデバイス102は、本明細書において説明されるようなハードウェア、ソフトウェア、およびサービスを利用する1つまたは複数の相手との通信を確立し、保持することを可能にする通信コンポーネント406を含む。通信コンポーネント406は、クライアントデバイス102上のコンポーネント同士間、ならびにクライアントデバイス102と、通信ネットワーク上に位置するデバイスおよび/またはクライアントデバイス102にシリアル接続もしくはローカル接続されたデバイスなどの外部デバイスとの間の通信を搬送し得る。たとえば、通信コンポーネント406は、1つまたは複数のバスを含むことができ、外部デバイスとのインターフェース用に動作可能な送信機および受信機にそれぞれ関連する送信チェーンコンポーネントおよび受信チェーンコンポーネントをさらに含むことができる。
【００４５】
通信コンポーネント406はまた、1つまたは複数のサービスデバイスによるサービス告知に基づいて、1つまたは複数のサービスデバイスの利用可能性を検出するために、検出コンポーネント416を含み得るかまたはそれに結合され得る。検出コンポーネント416は、たとえば、利用可能なサービスを告知するサービスデバイスによる電磁信号ブロードキャストを検出し得る。加えて、電磁信号は、サービスデバイスに関連するメタデータまたは接続パラメータを含み得る。検出コンポーネント416は、たとえば、サービス告知信号に埋め込まれたこのメタデータを解析、記憶、または場合によっては利用するために、受信コンポーネント420と協調し得る。
【００４６】
加えて、検出コンポーネント416は、特定のサービスデバイスに貼付されるかまたはその近傍にあるQRコード（登録商標）をキャプチャし分析するために、フォトカメラ、動画用カメラまたは他の光学デバイス、および対応するファームウェア、ソフトウェアまたは制御命令を含み得る。さらに、検出コンポーネント416は、検出コンポーネント416自体が、記憶のため、またはプロセッサ402および/または通信コンポーネント406など、クライアントデバイス内の他のコンポーネントによる即時使用のために、QRコード（登録商標）を復号することを可能にする処理能力を含み得る。代替または追加として、検出コンポーネント416は、バーコードまたはUPCコードの形態の静的サービスデバイス告知の場合、レーザリーダを含むことがあるUPCリーダなどのバーコードリーダを含み得る。
【００４７】
さらに、通信コンポーネント406は、接続パラメータに基づいて接続エンティティからサービスメタデータまたは接続情報を検索するために、検索コンポーネント414を任意選択により含み得るかまたはそれに結合され得る。追加または代替として、通信コンポーネント406は、送信コンポーネント418および/または受信コンポーネント420を含み得るかまたはそれに結合され得る。送信コンポーネント418は、特定のサービスデバイスに関する接続情報を確認するために、接続エンティティに接続パラメータ要求を送信し得る。対応して、受信コンポーネントは、送信コンポーネント418によって送信された要求に応答して、接続エンティティからサービスメタデータを受信し得る。
【００４８】
加えて、ワイヤレスデバイス102は、本明細書に記載された態様に関連して利用される情報、データベース、およびプログラムの大容量ストレージを提供するハードウェアおよび/またはソフトウェアの任意の適切な組合せであり得る、データストア408をさらに含むことができる。たとえば、データストア408は、プロセッサ402によって現在実行されていないアプリケーション用のデータリポジトリであり得る。
【００４９】
クライアントデバイス102は、クライアントデバイス102のユーザからの入力を受信するように動作可能であり、ユーザへのプレゼンテーションのための出力を生成するようにさらに動作可能なユーザインターフェースコンポーネント410をさらに含み得る。ユーザインターフェースコンポーネント410は、限定はしないが、キーボード、ナンバーパッド、マウス、タッチセンシティブディスプレイ、ナビゲーションキー、ファンクションキー、マイクロフォン、音声認識コンポーネント、ユーザからの入力を受信することが可能な任意の他の機構、またはそれらの任意の組合せを含む1つまたは複数の入力デバイスを含むことができる。さらに、ユーザインターフェースコンポーネント410は、限定はしないが、ディスプレイ、スピーカー、触覚フィードバック機構、プリンタ、ユーザもしくはクライアントデバイスに出力もしくはサービスを提示することが可能な任意の他の機構、またはそれらの任意の組合せを含む1つまたは複数の出力デバイスを含み得る。
【００５０】
さらに、クライアントデバイス102は、クライアントデバイス102上のサービスデバイス106からのサービスを可能にすることを支援し得る実行コンポーネント412を含み得る。たとえば、実行コンポーネント412は、特定のサービスを実行するための命令をサービスデバイス106に送信するための、通信コンポーネント406に対する命令を含み得、それによりクライアントデバイス102がサービスデバイス106によって提供されるサービスを使用することが可能になる。一態様では、たとえば、実行コンポーネント412は、サービスデバイス106がプリンタである場合、クライアントデバイス102によってサービスデバイス106に送信されたピクチャファイルを印刷するようにサービスデバイス106に命令することができる。代替として、一例では、実行コンポーネント412は、クライアントデバイス102によって送信されたファイルを記憶することをサービスデバイス106に実行させるための命令を含み得る。
【００５１】
加えて、いくつかの態様では、クライアントデバイス102は、サービス情報またはメタデータに基づいて少なくとも1つあるいは1つまたは複数のサービスデバイスとの1つまたは複数のリンクを構成するために、構成コンポーネント422を含み得る。構成コンポーネント422は、たとえば、プロセッサ402および通信コンポーネント406など、コンピュータデバイスの他のコンポーネントのうちのいずれかと通信し、そこに命令を与え、そこと協調し、またはそこから命令を取得することができる。加えて、構成コンポーネント422は、クライアントデバイスと1つまたは複数のサービスデバイスとの間の1つまたは複数の通信リンクを調整し構成するために、通信コンポーネント406を介して1つまたは複数のサービスデバイスと通信し得る。
【００５２】
加えて、いくつかの態様では、クライアントデバイス102は、1つまたは複数のリンクのそれぞれに関連する接続パラメータに基づいて1つまたは複数のリンクを優先順位付けまたはランク付けするために、優先順位付けコンポーネント424を含み得る。たとえば、一態様では、クライアントデバイス102は、少なくとも1つのサービスデバイス106との2つ以上のリンクを確立し、たとえば、2つ以上のリンクのそれぞれに関連する接続パラメータおよび/またはリンク特性に基づいて、これらのリンクをランク付けすることができる。一態様では、第1のサービスデバイスと確立された第1のリンクは、特定のクライアントデバイスに対して、第2のサービスデバイスに関連する第2のリンクの接続パラメータより良く適合する、関連する接続パラメータを有し得る。この場合、クライアントデバイス102は、優先順位付けコンポーネント424内のそれらのそれぞれの接続パラメータに基づいて、1つまたは複数のリンクを優先順位付けまたはランク付けすることができる。
【００５３】
図5を参照すると、サービスデバイス106は、本明細書で説明する機能を遂行するための1つまたは複数のコンポーネントを含む。一態様では、サービスデバイス106は、本明細書で説明するコンポーネントおよび機能のうちの1つまたは複数と関連付けられる処理機能を実行するためのプロセッサ502を含み得る。プロセッサ502は、単一の組もしくは複数の組のプロセッサまたはマルチコアプロセッサを含み得る。その上、プロセッサ502は、統合処理システムおよび/または分散処理システムとして実装することができる。
【００５４】
サービスデバイス106は、本明細書で使用されるデータ、および/またはプロセッサ502によって実行されているアプリケーションのローカルバージョンを記憶するなどのためのメモリ504をさらに含む。メモリ504は、ランダムアクセスメモリ(RAM)、読取り専用メモリ(ROM)、テープ、磁気ディスク、光ディスク、揮発性メモリ、不揮発性メモリ、およびそれらの任意の組合せなど、コンピュータが使用できる任意のタイプのメモリを含むことができる。
【００５５】
さらに、サービスデバイス106は、本明細書において説明されるようなハードウェア、ソフトウェア、およびサービスを利用する1つまたは複数の相手との通信を確立し、保持することを可能にする通信コンポーネント506を含む。通信コンポーネント506は、サービスデバイス106上のコンポーネント同士間、ならびにサービスデバイス106と、通信ネットワーク上に位置するデバイスおよび/またはサービスデバイス106にシリアル接続もしくはローカル接続されたデバイスなどの外部デバイスとの間の通信を搬送し得る。加えて、通信コンポーネント506は、サービスデバイスに関連する特定のサービスが利用可能であることを他のデバイス(たとえば、クライアントデバイス102)に示すために、電磁告知信号をブロードキャストし得るブロードキャストコンポーネント514を含み得る。加えて、サービスデバイスと接続して利用するために、クライアントデバイスに対するメタデータおよび/または接続データが、告知信号に含まれ得る。追加の態様では、ブロードキャストコンポーネントは、送信機および/またはトランシーバの機能を実行するために、送信機、トランシーバ、および/または制御回路を含み得る。加えて、通信コンポーネント506は、クライアントデバイス102からサービスメタデータおよび/または接続パラメータに対する要求を受信するように構成され得る受信コンポーネント516を含み得る。一態様では、受信コンポーネント516は、受信機および/またはトランシーバの機能を実行するために、受信機、トランシーバ、および/または制御回路を含み得る。追加の態様では、通信コンポーネント506は、1つまたは複数のバスを含み、外部デバイスとインターフェース接続するために動作可能な送信機および受信機にそれぞれ関連する送信チェーンコンポーネントおよび受信チェーンコンポーネントをさらに含むことができる。
【００５６】
加えて、データストア508は、クライアントデバイスにサービスを提供することに関連するデータを記憶することができる。そのようなデータは、限定はしないが、接続情報、サービス情報、メタデータ、外部で記憶されている接続情報またはサービス情報へのポインタ、通信ソフトウェア、サービス実装アプリケーションソフトウェアなどを含み得る。
【００５７】
さらに、サービスデバイス106は、1つまたは複数のクライアントデバイス102にメタデータを与えるために、メタデータ提供コンポーネント512を含み得る。一態様では、メタデータ提供コンポーネントは、サービスデバイス106との接続に関連するサービスメタデータおよび/または接続パラメータを記憶し得る。追加の態様では、メタデータ提供コンポーネントは、要求しているクライアントデバイス102に接続エンティティへのポインタを与え、クライアントデバイス102は、それ自体、要求されるサービスメタデータおよび/または接続パラメータを含むことができる。加えて、サービスデバイス106は、1つまたは複数のクライアントデバイス102との1つまたは複数のリンクを要求し、セットアップし、および/または構成することができるリンク構成コンポーネント518を含み得る。一態様では、メタデータ提供コンポーネント512および/またはリンク構成コンポーネント518は、クライアントデバイス102に信号を送信し、またはそこから信号を受信し得る通信コンポーネント506および/またはブロードキャストコンポーネント514および受信コンポーネント516に接続され得る。
【００５８】
さらに、サービスデバイス106は、クライアントデバイス102に1つまたは複数のサービスを提供するために、サービスコンポーネント520を含み得る。たとえば、サービスコンポーネント520は、サービスデバイス106がプリンタである場合、クライアントデバイス102によってサービスデバイス106に送信されたピクチャファイルを印刷することをサービスデバイスに実行させるために、プロセッサ502によって実行可能な命令を含み得る。代替として、一例では、サービスコンポーネント520は、クライアントデバイス102によって送信されたファイルをメモリ504に記憶させるための命令を含み得る。さらに、一態様では、サービスコンポーネント520は、限定はしないが、スライドショープレゼンテーション、ビデオファイル、サウンドファイル、および/またはピクチャファイルなど、1つまたは複数のファイルをクライアントデバイス102からプレイおよび/または表示するために、メディアプレーヤを含み得る。これらの列挙した例は、サービスデバイス106が、通信ネットワーク上またはワイヤレス通信システム内で電子デバイスによって提供される任意のサービスを提供し得るので、限定的ではない。
【００５９】
図6は、サービスデバイス106(図1)などによって1つまたは複数のクライアントデバイス102に1つまたは複数のサービスを提供するための方法600の態様を示す。一態様では、サービスデバイスは、ワイヤレス通信のネットワーク、環境またはシステム(たとえば、図1の100)内で動作し得る。ブロック602で、サービスデバイス106は、ワイヤレスシステム100内の1つまたは複数のクライアントデバイスにサービス告知をブロードキャストし得る。このサービス告知は、サービスデバイスが1つまたは複数のクライアントデバイス102に対して実行することができるサービスのタイプに関する情報を含み得る。加えて、サービス告知は、サービスメタデータなど、接続パラメータに関係する情報を含み得る。
【００６０】
追加の態様では、ブロック604で、サービスデバイス106は、サービスデバイス106によって告知されるサービスを利用しようと試みるクライアントデバイス102からサービスメタデータに対する要求を受信し得る。この要求に応答して、サービスデバイスは、ブロック606で、要求しているクライアントデバイス102に、要求されたサービスメタデータを与え得る。サービスデバイス106はまた、ブロック606で、クライアントデバイス102にサービスメタデータを与える前に、クライアントデバイス102および/またはそのユーザに、支払い情報を提示することを要求することができる。代替または追加として、サービスデバイス106は、要求されたサービスメタデータおよび/または接続パラメータを含み得る別の接続エンティティへのポインタをクライアントデバイス102に与え得る。
【００６１】
さらに、ブロック608で、サービスデバイス106は、クライアントデバイス102に与えられたサービスメタデータに基づいて、クライアントデバイス102とのリンクを構成し得る。一態様では、サービスデバイス106またはクライアントデバイス102は、たとえば、対応するデバイスに接続要求を送信することによって、リンク構成を開始し得る。追加の態様では、クライアントデバイス102とサービスデバイス106との間のリンクが構成され確立されると、ブロック610で、サービスデバイス106は、クライアントデバイス102へのサービスを実行し得る。
【００６２】
図7を参照すると、例示的なシステム700が、モバイルデバイスユーザにサービスを提供するために示されている。たとえば、システム700は、少なくとも部分的にデバイス内に常駐し得る。システム700は、プロセッサ、ソフトウェア、またはそれらの組合せ(たとえば、ファームウェア)によって実装される機能を表す機能ブロックであり得る、機能ブロックを含むものとして表されていることを諒解されたい。システム700は、連携して動作することができる電気的コンポーネントの論理グルーピング702を含む。たとえば、論理グルーピング702は、接続パラメータに基づいて接続エンティティから1つまたは複数のサービスデバイスに関連するサービスメタデータを検索するために、電気的コンポーネント704を含み得る。そのような態様では、電気的コンポーネント704は、接続エンティティに接続パラメータ要求を送信し、接続パラメータ要求に応答してサービスメタデータを受信するようにさらに構成され得る。
【００６３】
その上、論理グルーピング702は、検索されたサービスメタデータに基づいて1つまたは複数のサービスデバイスのうちの少なくとも1つとの1つまたは複数のリンクを構成するための電気的コンポーネント706を含み得る。これは、説明したように、認証を受信することおよび/または認証メッセージ内の受信されたパラメータに基づくことができる。一態様では、論理グルーピング702は、1つまたは複数のサービスデバイスのうちの少なくとも1つによるサービス告知に基づいて、1つまたは複数のサービスデバイスの利用可能性を検出するための電気的コンポーネントを含み得る。そのような態様では、サービス告知は、サービスデバイスに対する接続パラメータ、接続パラメータを記憶する接続エンティティへのポインタ、およびサービスデバイスに対する関連するサービスメタデータなどを含み得る。さらに、接続パラメータは、ロケーションコンポーネント、時変パラメータを含み得る。別の態様では、論理グルーピング702は、1つまたは複数の構成されたリンクを介して利用可能なサービスを使用するための電気的コンポーネントを含み得る。一態様では、サービスメタデータは、クラウドエンティティ内に記憶され得る。別の態様では、論理グルーピング702は、1つまたは複数のリンクのそれぞれに関連する接続パラメータに基づいて1つまたは複数のリンクをランク付けするための電気的コンポーネントを含み得る。たとえば、リンクをランク付けするための電気的コンポーネントは、限定はしないが、図4の優先順位付けコンポーネント424を含み得る。さらに別の態様では、論理グルーピング702は、ネットワークインターフェースなしに利用可能にされた1つまたは複数のサービスデバイスのうちの1つからサービス告知を受信するための電気的コンポーネントを含み得る。たとえば、リンクをランク付けするための電気的コンポーネントは、限定はしないが、図4の受信コンポーネント414を含み得る。一態様では、接続パラメータは、セキュリティ保護され得る。
【００６４】
加えて、システム700は、電気的コンポーネント704および706に関連する機能を実行するための命令の保持、電気的コンポーネント704および706によって使用または取得されるデータの記憶、などを行うメモリ708を含むことができる。メモリ708の外部にあるものとして示されているが、電気的コンポーネント704および706のうちの1つまたは複数は、メモリ708内に存在し得ることを理解されたい。一例では、電気的コンポーネント704および706は、少なくとも1つのプロセッサを含むことができ、または各電気的コンポーネント704および706は、少なくとも1つのプロセッサの対応するモジュールとすることができる。さらに、追加または代替の例では、電気的コンポーネント704および706はコンピュータ可読媒体を備えるコンピュータプログラム製品とすることができ、各電気的コンポーネント704および706は対応するコードとすることができる。
【００６５】
図8を参照すると、例示的なシステム800が、1つまたは複数のクライアントデバイスにサービスを提供するために表示されている。たとえば、システム800は、少なくとも部分的にデバイス内に常駐し得る。システム800は、プロセッサ、ソフトウェア、またはそれらの組合せ(たとえば、ファームウェア)によって実装される機能を表す機能ブロックであり得る、機能ブロックを含むものとして表されていることを諒解されたい。システム800は、連携して動作することができる電気的コンポーネントの論理グルーピング802を含む。たとえば、論理グルーピング802は、1つまたは複数のクライアントデバイス102にサービス告知をブロードキャストするための電気的コンポーネント804を含み得る(図1、図8)。そのような態様では、サービス告知は、サービスデバイスに対する接続パラメータ、接続パラメータを記憶する接続エンティティへのポインタ、およびサービスデバイスに対する関連するサービスメタデータなどを含み得る。加えて、論理グルーピング802は、サービスメタデータに対する要求を受信するための電気的コンポーネント806を含み得る。追加の態様では、論理グルーピング802は、1つまたは複数のクライアントデバイス102にサービスメタデータを与えるための電気的コンポーネント808を含み得る。さらに、電気的コンポーネント808は、接続エンティティへのポインタを与えることができ、接続エンティティは、それ自体、要求されるメタデータおよび/または接続パラメータを含み得る。さらなる態様では、サービスメタデータは、クラウドエンティティ内に記憶され得る。別の態様では、論理グルーピング802は、1つまたは複数のクライアントデバイス102との1つまたは複数のリンクを構成するための電気的コンポーネント810を含み得る。さらに、いくつかの態様では、論理グルーピング802は、1つまたは複数のクライアントデバイスに対する1つまたは複数のサービスを実行するための電気的コンポーネント812を含み得る。
【００６６】
加えて、システム800は、電気的コンポーネント804、806、808、810、および/または812に関連付けられた機能を実行するための命令を保持し、電気的コンポーネント804、806、808、810、および/または812によって使用されるまたは取得されるデータを記憶するメモリ814を含むことができる。電気的コンポーネント804、806、808、810、および/または812は、メモリ814の外部にあるものとして示されているが、これらの電気的コンポーネントのうちの1つまたは複数は、メモリ814内に存在し得ることを理解されたい。一例では、電気的コンポーネント804、806、808、810、および/または812は、少なくとも1つのプロセッサを含んでよく、または、各電気的コンポーネント804、806、808、810、および/または812は、少なくとも1つのプロセッサの対応するモジュールであってよい。さらに、追加または代替の例では、電気的コンポーネント804、806、808、810、および/または812は、コンピュータ可読媒体を含むコンピュータプログラム製品とすることができ、各電気的コンポーネント804、806、808、810、および/または812は、対応するコードとすることができる。
【００６７】
本明細書で開示された実施形態に関して記載された様々な例示的な論理、論理ブロック、モジュール、および回路は、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲートもしくはトランジスタ論理、個別ハードウェアコンポーネント、または、本明細書に記載された機能を実行するように設計されたそれらの任意の組合せで実装または実施することができる。汎用プロセッサはマイクロプロセッサであり得るが、代替として、プロセッサは任意の従来のプロセッサ、コントローラ、マイクロコントローラ、または状態機械であり得る。プロセッサはまた、コンピューティングデバイスの組合せ、たとえば、DSPとマイクロプロセッサとの組合せ、複数のマイクロプロセッサ、DSPコアと連携する1つまたは複数のマイクロプロセッサ、あるいは任意の他のそのような構成として実装され得る。加えて、少なくとも1つのプロセッサは、上述されたステップおよび/またはアクションのうちの1つまたは複数を実行するように動作可能な、1つまたは複数のモジュールを備えることができる。
【００６８】
さらに、本明細書で開示された態様に関して記載された方法もしくはアルゴリズムのステップおよび/またはアクションは、直接ハードウェア内で、プロセッサによって実行されるソフトウェアモジュール内で、またはその2つの組合せ内で具現化することができる。ソフトウェアモジュールは、RAMメモリ、フラッシュメモリ、ROMメモリ、EPROMメモリ、EEPROMメモリ、レジスタ、ハードディスク、リムーバブルディスク、CD-ROM、または当技術分野で知られている任意の他の形態の記憶媒体内に常駐することができる。例示的な記憶媒体は、プロセッサが記憶媒体から情報を読み取り、記憶媒体に情報を書き込むことができるようにプロセッサに結合され得る。代替として、記憶媒体はプロセッサと一体であり得る。さらに、いくつかの態様では、プロセッサおよび記憶媒体はASIC内に常駐することができる。加えて、ASICはユーザ端末内に常駐することができる。代替として、プロセッサおよび記憶媒体は、ユーザ端末中に個別コンポーネントとして常駐し得る。加えて、いくつかの態様では、方法またはアルゴリズムのステップおよび/または動作は、コンピュータプログラム製品に組み込まれ得る、機械可読媒体および/またはコンピュータ可読媒体上のコードおよび/または命令の1つまたは任意の組合せ、またはそのセットとして常駐し得る。
【００６９】
1つまたは複数の態様では、説明される機能は、ハードウェア、ソフトウェア、ファームウェア、またはそれらの任意の組合せで実装され得る。各機能は、ソフトウェアで実装される場合、1つもしくは複数の命令またはコードとしてコンピュータ可読媒体上に記憶されるか、または、コンピュータ可読媒体上で送信され得る。コンピュータ可読媒体は、ある場所から別の場所へのコンピュータプログラムの転送を容易にする任意の媒体を含む、コンピュータ記憶媒体とコンピュータ通信媒体の両方を含む。記憶媒体は、コンピュータによってアクセスできる任意の利用可能な媒体であり得る。限定ではなく例として、そのようなコンピュータ可読媒体は、RAM、ROM、EEPROM、CD-ROMもしくは他の光ディスクストレージ、磁気ディスクストレージもしくは他の磁気ストレージデバイス、または、命令もしくはデータ構造の形態の所望のプログラムコードを搬送もしくは記憶するために使用でき、コンピュータによってアクセスできる、任意の他の媒体を含み得る。また、いかなる接続もコンピュータ可読媒体と呼ばれ得る。たとえば、ソフトウェアが、同軸ケーブル、光ファイバケーブル、ツイストペア、デジタル加入者回線(DSL)、または、赤外線、無線、およびマイクロ波などのワイヤレス技術を使用して、ウェブサイト、サーバ、または他のリモートソースから送信される場合、同軸ケーブル、光ファイバケーブル、ツイストペア、DSL、または、赤外線、無線、およびマイクロ波などのワイヤレス技術は、媒体の定義に含まれる。本明細書で使用される場合、ディスク(disk)およびディスク(disc)は、コンパクトディスク(disc)(CD)、レーザディスク(disc)、光ディスク(disc)、デジタル多用途ディスク(disc)(DVD)、フロッピー（登録商標）ディスク(disk)およびブルーレイディスク(disc)を含み、ディスク(disk)は、通常、データを磁気的に再生し、ディスク(disc)は、通常、データをレーザで光学的に再生する。上記の組合せもコンピュータ可読媒体の範囲内に含めるべきである。
【００７０】
上記の開示は、例示的な態様および/または実施形態について論じたが、添付の特許請求の範囲によって定義されるように、説明した態様および/または実施形態の範囲から逸脱することなく、様々な変更および改変を本明細書で行うことができることに留意されたい。さらに、説明した態様および/または実施形態の要素は、単数形で説明または特許請求されていることがあるが、単数形に限定することが明示的に述べられていない限り、複数形が企図される。さらに、任意の態様および/または実施形態の全部または一部は、別段に記載されていない限り、任意の他の態様および/または実施形態の全部または一部とともに利用され得る。
【符号の説明】
【００７１】
100  システム、ワイヤレスシステム
102  クライアントデバイス
104  ワイヤレスネットワーク
106  サービスデバイス
108  通信
110  通信
402  プロセッサ
404  メモリ
406  通信コンポーネント
408  データストア
410  ユーザインターフェースコンポーネント
412  実行コンポーネント
414  検索コンポーネント
416  検出コンポーネント
418  送信コンポーネント
420  受信コンポーネント
422  構成コンポーネント
424  優先順位付けコンポーネント
502  プロセッサ
504  メモリ
506  通信コンポーネント
508  データストア
512  メタデータ提供コンポーネント
514  ブロードキャストコンポーネント
516  受信コンポーネント
518  リンク構成コンポーネント
520  サービスコンポーネント
700  システム
702  論理グルーピング
704  電気的コンポーネント
706  電気的コンポーネント
708  メモリ
800  システム
802  論理グルーピング
804  電気的コンポーネント
806  電気的コンポーネント
808  電気的コンポーネント
810  電気的コンポーネント
812  電気的コンポーネント
814  メモリ
【図１】
0006018226.tif 000002
【図２】
0006018226.tif 000003
【図３】
0006018226.tif 000004
【図４】
0006018226.tif 000005
【図５】
0006018226.tif 000006
【図６】
0006018226.tif 000007
【図７】
0006018226.tif 000008
【図８】
0006018226.tif 000009